(57)【要約】【課題】歯科治療に当り、術者がインスツルメントホルダーから診療に必要なインスツルメントを引き出す時、術者の好みの引き出し長さに調整することができるようにする。【解決手段】インスツルメントホルダー２より垂下されるインスツルメントホース４を保持するインスツルメントホース保持アーム１０は、インスツルメント非使用時、後方に回動されて１０３の位置にあり、使用時、前方に所定量回動された位置にロックされる。診療終了後、再度前方に回動する力を加えることにより前記ロックが解除されて後方に回動して非使用時の状態に戻される。インスツルメントホース保持アームの回動量を調整するストッパ２２を有し、該ストッパの位置を変えることにより、例えば、１０３の位置にすることにより、インスツルメントホース保持アーム１０が１０３の位置にロックされ、インスツルメント３の引き出し長さを調整することができる。【選択図】図１
2011160899.tif 000002
【特許請求の範囲】
【請求項１】
インスツルメントホルダーより垂下されるインスツルメントホースを保持するインスツルメントホース保持アームを有し、該インスツルメントホース保持アームは、インスツルメントがインスツルメントホルダーに載置されている非使用時、後方に回動されて前記インスツルメントホースを後方に持ち上げて保持し、インスツルメントをインスツルメントホルダーから引き出して診療を行う使用時、前方に回動されて所定量回動された位置にロックされ、診療終了後、再度前方に回動されることにより前記ロックが解除されて後方に回動して前記インスツルメント非使用時状態に戻されるようにした歯科用インスツルメントホース引き出し機構において、前記インスツルメントホース保持アームの回動量を調整するストッパを有し、該ストッパの位置を変えることにより、前記インスツルメントホース保持アームがロックされる前記所定量回動される位置を調整可能としたことを特徴とする歯科用インスツルメントホースの引き出し量調整機構。
【請求項２】
前記ストッパは、前記インスツルメントホース保持アームの回動経路中に、該インスツルメントホース保持アームの回動を阻止するよう配設されるバーであり、該バーは、前記インスツルメントホース保持アームの回動経路に沿って位置調整されて固定可能であることを特徴とする請求項１記載の歯科用インスツルメントホースの引き出し量調整機構。
【発明の詳細な説明】
【技術分野】
【０００１】
本発明は、歯科用インスツルメントホースの引き出し量調整機構、より詳細には、インスツルメントが載置されるインスツルメントホルダーと、該インスツルメントホルダーより垂下されるインスツルメントホースを保持するインスツルメントホース保持アームとを有する歯科用インスツルメントホース保持機構において、歯科治療に当って、前記インスツルメントホルダーから引き出されるインスツルメントホースの引き出し長さを調整可能とし、各インスツルメントに対して、術者の好みに応じた引き出し長さに調整可能としたものである。
【背景技術】
【０００２】
図２は、本発明によるインスツルメントホースの引き出し長さ調整機構が適用されるインスツルメントホルダーの一例（特許文献１）を示す図で、図中、１はワークテーブル、２はインスツルメントホルダー、３は、例えば、マイクロエンジン，エアータービン，シリンジ等の歯科治療用インスツルメント（図には、１本のインスツルメントしか示されていないが、実際には、インスツルメントホルダー上には、これらインスツルメントが複数本並列に載置されている）、４は各インスツルメントに電気，エアー，水等を供給するためのインスツルメントホースで、インスツルメント３はインスツルメントホルダー２上に、インスツルメントホース４をインスツルメントホルダー２から垂下した状態で載置されており、歯科治療に当り、術者が所望のインスツルメント３をインスツルメントホルダー２から引き出して使用するようになっている。
【０００３】
図２において、１０は本発明において、その回動量が規制されるインスツルメントホース保持アームで、該インスツルメントホース保持アーム１０は、例えば、ワークテーブル１の下部に、軸１１を中心に回動可能に取り付けられ、かつ、ばね部材１２によって、常時は、後方（Ｂ方向）に引っ張られて持ち上げられているようになっている。このインスツルメントホース保持アーム１０の先端部にはインスツルメントホース４が保持されており、該インスツルメントホース４は、常時（非使用時）は、図２中に実線１０1にて示すように、床面より相当上方に持ち上げられて保持されており、これにより、インスツルメントホース４が床面等に接して汚れたりすることのないようになっている。
【０００４】
施術に当り、術者が、インスツルメント３をインスツルメントホルダー２から取り出し、ばね部材１２の引っ張り力に抗して引き出すと、インスツルメントホース保持アーム１０は軸１１を中心に矢印Ａ方向に回動し、図２中に破線１０2にて示す所定の位置にくると、該インスツルメントホース保持アーム１０はそれ以上回動しなくなるので、術者はインスツルメントを引く力を緩める。術者がインスツルメントを引く力を緩めると、インスツルメントホース保持アーム１０はばね部材１２の力によって少し戻され、その位置にロックされる。
【０００５】
術者は、インスツルメントホース保持アーム１０がロックされた状態で、かつ、その時のインスツルメントホース引き出し長さで診療を行うが、その時、インスツルメントホース４の垂下長さは、引き出された分だけ短く、従って、垂下したインスツルメントホース４の下端は床面より相当上方にあり、インスツルメントホースが床面に接して汚れるようなことはない。また、インスツルメントホース４の垂下量が小さいことから、垂下したインスツルメントホースにより引き戻す力も小さく、術者の負担も軽くて済む。
【０００６】
上述のようにして、インスツルメントホース保持アーム１０を所定位置にロックした後（例えば、診療後）、インスツルメントホース４を再度引っ張ると、周知のように、インスツルメントホース保持アーム１０が少し前方に進み、ロックが解除され、インスツルメントホース保持アーム１０は、ばね部材１２の引っ張り力により、非使用時の位置、即ち、図２中に、実線１０1にて示した位置に迅速に戻り、術者を煩わすこともない。
【先行技術文献】
【特許文献】
【０００７】
【特許文献１】特開２００９−３９４０６
【発明の概要】
【発明が解決しようとする課題】
【０００８】
本発明は、上述のごとき、インスツルメントホルダー上に載置したインスツルメントから垂下するインスツルメントホースをインスツルメントホース保持アームで保持する型式のインスツルメントホルダーを使用する場合、術者がインスツルメントホルダー２から診療に必要なインスツルメント３を引き出す時、インスツルメントの引き出し長さを術者の好みの引き出し長さに調整することができるようにすることを目的としてなされたものである。
【課題を解決するための手段】
【０００９】
本発明は、上記課題を解決するために、請求項１の発明は、インスツルメントホルダーより垂下されるインスツルメントホースを保持するインスツルメントホース保持アームを有し、該インスツルメントホース保持アームは、インスツルメントがインスツルメントホルダーに載置されている非使用時、後方に回動されて前記インスツルメントホースを後方に持ち上げて保持し、インスツルメントをインスツルメントホルダーから引き出して診療を行う使用時、前方に回動されて所定量回動された位置にロックされ、診療終了後、再度前方に回動されることにより前記ロックが解除されて後方に回動して前記インスツルメント非使用時状態に戻されるようにした歯科用インスツルメントホース引き出し機構において、前記インスツルメントホース保持アームの回動量を調整するストッパを有し、該ストッパの位置を変えることにより、前記インスツルメントホース保持アームがロックされる前記所定量回動される位置を調整可能としたことを特徴とするものである。
【００１０】
請求項２の発明は、請求項１の発明において、前記ストッパは、前記インスツルメントホース保持アームの回動経路中に、該インスツルメントホース保持アームの回動を阻止するよう配設されるバーであり、該バーは、前記インスツルメントホース保持アームの回動経路に沿って位置調整されて固定可能であることを特徴とするものである。
【発明の効果】
【００１１】
本発明によると、歯科治療に当り、術者は、インスツルメントホルダーから施術に必要なインスツメントを引き出す際、自分の好みの長さに調整して引き出すことができるので、歯科治療作業がしやすくなる。
【図面の簡単な説明】
【００１２】
【図１】本発明による歯科治療インスツルメントの引き出し長さ調整機構の一実施例を説明するための図である。
【図２】本発明が適用される歯科用インスツルメント保持機構の一例を説明するための図である。
【発明を実施するための形態】
【００１３】
図１は、本発明が適用されるインスツルメントホース保持アームを有するインスツルメントホース引き出し長さ調整機構の一実施例を説明するための要部構成図で、図中、図２に示した従来技術と同様の作用をする部分には、図２の場合と同一の参照番号が付してある。
而して、本発明においては、図１（Ａ）に示すように、インスツルメント３をインスツルメントホルダー３上に載置している時（３１の状態の時）は、インスツルメントホース保持アーム１０は、図２に示した従来技術と同様、一番跳ね上がった状態（１０１の位置）にあり、インスツルメント３を最大に引き出したとき（３２の状態の時）は、前記従来技術と同様、インスツルメントホース保持アーム１０は１０２の位置にあり、この位置にロックされており、術者は、この状態（この引き出し長さ）で施術する。
【００１４】
しかし、術者によって、或いは、使用するインスツルメント等によって、術者は、その引き出し長さを自分に適した長さで使用したい場合がある。しかし、図２に示した従来技術においては、インスツルメントホース保持アーム１０は、１０１の位置と、１０２の位置しかとることができず、術者は、自分に適した所望の取り出し長さにすることができなかった。
【００１５】
本発明は、上述のごとき不都合を解消するためになされたもので、図１（Ａ）に示すように、例えば、インスツルメントホース保持アーム１０を軸１１のまわりに回動自在に取り付ける基板２０に、該インスツルメントホース保持アーム１０の回動方向に沿うスリット２１を設け、このスリット２１を通して、インスツルメントホース保持アーム１０の回動を阻止するバー２２を挿通固定するようにしたものであり、この挿通固定位置を、例えば、２２１、２２２、２２３、と変えることによって、任意所望の位置とすることができ、これによって、１０１にて示した最大引き出し位置との間で、所望の位置（例えば、１０３の位置）に調整することができる。
【００１６】
図１（Ｂ）は、図１（Ａ）に示したインスツルメントホース保持アーム取り付け部を矢印Ｙ方向から見た時の図で、インスツルメントホース保持アーム１０は、バー２２（２２１、２２２、２２３の位置に調整可能）によって、矢印Ｂ方向への回動を阻止されるようになっており、インスツルメント３からインスツルメントホルダー２から引き出され、インスツルメントホース保持アームが回動され、１０３の位置まで回動すると、２２３の位置に配置されているバー２２によってその回動が阻止され、インスツルメント３の引き出しは、それ以上できなくなる、つまり、１０３の位置で決まる引き出し長さとなる。
【００１７】
上述のように、本発明によると、インスツルメントホース保持アーム１０を、１０１にて示す位置と１０２にて示す位置との間の任意所望位置に固定できるので、これによって、インスツルメントの引き出し長さを術者が所望する長さに調整することができる。
【符号の説明】
【００１８】
１…ワークテーブル、２…インスツメントホルダー、３（３１、３２、３３）…インスツメント、４…インスツメントホース、１０（１０１、１０２、１０３）…インスツルメント保持アーム、１１…回転軸、２０…インスツルメントホース保持アーム取り付け板、２１…スリット、２２…インスツルメントホース保持アーム回動阻止バー。
【図１】
2011160899.tif 000003
【図２】
2011160899.tif 000004